(57)【特許請求の範囲】
【請求項１】
全体が袋形状を成し、外端部をヒダのように薄く形成すると共に、上下両面には含塵空気を通気させる通気穴を開口形成して成る複数のフィルター単体を、上記上下の各通気穴同士が連通し、且つ、フィルターの上下方向にヒダが幾重にも重なるように複数連設することにより、全体が上下方向に伸縮自在に構成された集塵装置等用フィルターであって、
上記複数連設された各フィルター単体のうち、少なくとも含塵空気の流れ方向に対して最初のフィルター単体の上面中央部に開口されている通気穴を含塵空気の吹込口とし、最後のフィルター単体の底面を通気穴が開口されていない閉塞面、若しくは、当該通気穴が開口されている開口面とすると共に、これ等複数連設した各フィルター単体の前記通気穴が開口形成されている上下両面の内側面同士の間には、先端部同士を接合することにより、前記上下の通気穴の外側縁部同士の間隔を、一定の間隔に保持するための複数の内側紐体が各々接合されていることを特徴とする集塵装置等用フィルター。
【請求項２】
前記各フィルター単体の上下両面の内側面同士の間に各々接合されている前記複数の各内側紐体の長さ寸法が、夫々同一寸法に造られていることを特徴とする請求項１に記載の集塵装置等用フィルター。
【請求項３】
前記複数連設した各フィルター単体の外端部同士の間に、各フィルター単体がフィルターの上下方向に伸張する間隔を、一定の間隔に保持するための外側紐体が各々接合されていることを特徴とする請求項１又は２に記載の集塵装置等用フィルター。
【請求項４】
前記複数連設されたフィルター単体のうち、前記最初のフィルター単体の上面部に、フィルターの全体を縦型集塵装置のフィルター室内部に対して吊下げ状態に、且つ、前記含塵空気の吹込口に含塵空気の供給口を連通した状態に取付けることができる装着部材を設けたことを特徴とする請求項１、２又は３に記載の集塵装置等用フィルター。
【請求項５】
前記フィルターの全体を前記縦型集塵装置に設けたフィルター室の内部に吊下げ状態に取付けるための前記装着部材が、フィルター室の天井部に対して着脱自在に構成した取付具と、前記最初のフィルター単体の上面部に設けられていて、当該取付具の被保持部を嵌合して装着することができる保持部材とによって構成されていることを特徴とする請求項４に記載の集塵装置等用フィルター。
【請求項６】
前記取付具が、永久磁石を用いて前記フィルター室の天井部に対して着脱自在に構成されていることを特徴とする請求項５に記載の集塵装置等用フィルター。
【請求項７】
複数のフィルター単体をフィルターの上下方向にヒダを幾重にも重なるように複数連設することにより、全体が伸縮自在に構成された集塵装置等用フィルターを製造するための方法であって、
中央に通気穴を設けた平面視形状が角型形状または円型形状を成す２枚の濾布体を重ね合わせて、これ等両濾布体同士を重ねた通気穴の外周縁部分で接合し、且つ、この接合と同時に、または、接合の後に、接合された２枚の濾布体の各通気穴の左右両側縁部分に、夫々同一寸法に形成した上下及び左右の少なくとも計４本の接合前内側紐体の根端部を各々接合する第１工程と、
前記第１工程で造られた前記接合された２枚の濾布体の外形同士が一致するように２組対向させて、相対向する側の濾布体の夫々に取付けられている前記接合前内側紐体の先端部同士を接合する第２工程と、
前記相対向する側の濾布体同士の全外周部を接合して、全体を断面略袋状に成すことで、相対向する内側面の間に前記接合前内側紐体が接合されて、内側紐体と成って架設されたフィルター単体を造る第３工程と、
前記第３工程によって造られた複数の前記フィルター単体及び両外側の濾布体を、外形同士が一致するように２組相対向させて、前記フィルター単体及び両外側の濾布体の、相対向する側に設けられている前記接合前内側紐体の先端部同士を接合し、且つ、相対向する側の濾布体の全外周部を接合して、前記フィルター単体同士を接合する第４工程と、
前記第４工程を繰り返すことにより、必要とする数のフィルター単体を上下方向に複数連設することを特徴とする集塵装置等用フィルターの製造方法。
【請求項８】
前記重ね合わせた２枚の濾布体の各通気穴の外周縁部分に接合される前記接合前内側紐体の本数が、少なくとも片側３本、または、片側３本以上の奇数本であることを特徴とする請求項７に記載の集塵装置等用フィルターの製造方法。
【請求項９】
前記接合前内側紐体の根端部を濾布体側に接合する手段と、前記通気穴部の外周縁部分を接合する手段、及び、重ね合わせた２枚の濾布体の全外周部分同士を接合する手段と、前記接合前内側紐体の先端部同士を接合するための手段として、各々接着、縫い着、或いは、超音波溶着のいずれかの接合手段が使用され、縫い着に当たっては、縫い目からの漏れ出し防止のために、目止め処理が行われることを特徴とする請求項７又は８に記載の集塵装置等用フィルターの製造方法。
【請求項１０】
全体が袋形状を成し、外端部をヒダのように薄く形成すると共に、上下両面には含塵空気を通気させる通気穴を開口形成して成る複数のフィルター単体を、上記上下の各通気穴同士が連通し、且つ、フィルターの上下方向にヒダが幾重にも重なるように複数連設することにより、全体を上下方向に伸縮自在な構成にすると共に、上記複数連設された前記各フィルター単体の内側面同士の各間の夫々に、長さ寸法が同一寸法に造られている複数の内側紐体を各々接合し、且つ、前記各フィルター単体の外端部同士の各間の夫々にも、各フィルター単体が上下方向に伸張する間隔を一定の間隔に保持するための複数の外側紐体を各々接合するように構成したフィルターを、上面部に設けた装着部材を用いて縦型集塵機に設けたフィルター室内の天井部に対して、吊り下げ状態に取付けて成ることを特徴とする集塵装置等用フィルター。
【発明の詳細な説明】
【技術分野】
【０００１】
本発明は、工場等の作業現場から発生する粉塵（ダスト）やヒュームを捕集する集塵機や、その他クリーナーや脱臭装置といった各種の集塵装置等に使用して好適なフィルターと、その製造方法及びこのフィルターを備えた集塵装置に関するものである。
【背景技術】
【０００２】
従来よりフィルターの濾過面積を広くするために、フィルター面を多数のヒダがフィルターの長手方向に幾重にも重なるように断面略蛇腹形状（ジグザグ形状・アコーディオン形状等）に形成したものが存在する。
【０００３】
図１１は上記断面略蛇腹形状に形成した従来のフィルターの一例を示したものであって、図中、１００は当該フィルターの全体を示し、１０１…は上下両面に含塵空気の通気穴１０３…を開口形成した全体が略袋形状を成すフィルター単体で、フィルター１００は、複数のフィルター単体１０１…を各通気穴１０３…同士が連通し、且つ、ヒダ状に形成したフィルター単体１０１…の外端部が幾重にも重なるように連設することによって構成されていて、最上部のフィルター単体１０１の上面には含塵空気の吹込口１０２が開口形成されると共に、最下部のフィルター単体１０１の底面は閉塞面１０４に構成されている。
【０００４】
しかし、上記図１１に示した構造の従来のフィルター１００は、これを集塵室の内部に縦型に取付けて使用した場合に、上層のフィルター単体１０１…は、自重或いは含塵空気の吹込みによって上下方向に伸張して濾過面積を有効に利用可能な状態に成っているが、下層のフィルター単体１０１…は図示の如くヒダが上下に重なり合って密着するため、濾過面積を有効に利用できない問題があった。
【０００５】
そこで本出願人は、特許文献１に記載の「集塵機等用フィルター」に見られるように、各フィルター単体１０１…の外端部の間に、各フィルター単体１０１…がフィルター１００の長手方向に伸張する間隔を一定に保持する紐体を取付けることにより、使用時（集塵時）には各フィルター単体１０１…の間隔が保たれて、相互に干渉し合うことが無く、フィルターの濾過面積を有効利用することができるようにしたものを開発した。
【先行技術文献】
【特許文献】
【０００６】
【特許文献１】特開２００７-１４８９１号公報
【発明の概要】
【発明が解決しようとする課題】
【０００７】
ところが、フィルター単体１０１…の外端部に紐体を取り付けて成る上記特許文献１に記載のフィルターは、外端部は紐体により一定間隔を保持することができるが、含塵空気が流入する各フィルター単体１０１…の内側面同士の間隔、具体的には、前記通気穴１０３…同士の上下の間隔は、製作上のバラツキや、フィルター１００の濾材自体にコシがない為に、各間隔を一定に保つことが難しく、どうしても不均一になってしまい、その結果、フィルター単体１０１…の内端部において間隔の狭い箇所が発生してしまい、使用時（集塵時）に含塵空気中の粉塵が付着捕集されると、その箇所（内側面同士の間隔の狭い箇所）に粉塵が次第に堆積し始めて、最終的には閉塞状態が発生してしまう問題があった。
【０００８】
加えて、各フィルター単体１０１…の内側部において閉塞状態が発生してしまった状態では、内側部から外端部にかけてのフィルター濾過面積を有効に利用する事ができなくなってしまい、結果的には早期にフィルター１００が目詰まりしてしまう問題があった。
【０００９】
その為の対策として、各フィルター単体１０１…の内部に、内側面同士の間隔を一定にする為のヒダ密着防止板や保持部材等の道具類を介在させて、含塵空気が流入する経路を確保する方法等が考えられたが、ヒダ密着防止板や保持部材を各フィルター単体１０１…内部に取り付けると、不使用時（保管時）には全体を小さく畳むことができなくなり、更に、ヒダ密着防止板や保持部材等の道具類の使用により、フィルターのコストアップといった問題も生じる可能性があった。
【００１０】
本発明は、上記の各問題点を解決するために成されたものであって、その技術的課題は、全体を略袋状に形成し、且つ、外側部をヒダ状に形成したフィルターにおいて、フィルター内部にヒダ密着防止板や保持部材等の道具類を使用することなく、使用時（集塵運転時）には、各ヒダの内側面同士を所定間隔に維持してフィルターの濾過面積を有効的に利用できるように工夫し、加えて、不使用時（保管時）には、全体を小さく畳むことができることで省スペース化も実現可能にした、集塵装置等用フィルターとその製造方法及びこのフィルターを使用した集塵装置を提供することである。
【課題を解決するための手段】
【００１１】
上記の技術的課題を解決する為に本発明で講じた手段は以下の如くである。
（１）上記の技術的課題を解決するために、本発明の請求項１に係る集塵装置等用フィルターは、全体が袋形状を成し、外端部をヒダのように薄く形成すると共に、上下両面には含塵空気を通気させる通気穴を開口形成して成る複数のフィルター単体を、上記上下の各通気穴同士が連通し、且つ、フィルターの上下方向にヒダが幾重にも重なるように複数連設することにより、全体が上下方向に伸縮自在に構成された集塵装置等用フィルターであって、
上記複数連設された各フィルター単体のうち、少なくとも含塵空気の流れ方向に対して最初のフィルター単体の上面中央部に開口されている通気穴を含塵空気の吹込口とし、最後のフィルター単体の底面を通気穴が開口されていない閉塞面、若しくは、当該通気穴が開口されている開口面とすると共に、これ等複数連設した各フィルター単体の前記通気穴が開口形成されている上下両面の内側面同士の間には、先端部同士を接合することにより、前記上下の通気穴の外側縁部同士の間隔を、一定の間隔に保持するための複数の内側紐体が各々接合されていることを特徴としている。
【００１２】
（２） また、本発明の請求項２に係る集塵装置等用フィルターは、前記各フィルター単体の上下両面の内側面同士の間に各々接合されている前記複数の各内側紐体の長さ寸法が、夫々同一寸法に造られていることを特徴としている。
【００１３】
（３）また、本発明の請求項３に係る集塵装置等用フィルターは、前記複数連設した各フィルター単体の外端部同士の間に、各フィルター単体がフィルターの上下方向に伸張する間隔を、一定の間隔に保持するための外側紐体が各々接合されていることを特徴としている。
【００１４】
（４） また、本発明の請求項４に係る集塵装置等用フィルターは、前記複数連設されたフィルター単体のうち、前記最初のフィルター単体の上面部に、フィルターの全体を縦型集塵装置のフィルター室内部に対して吊下げ状態に、且つ、前記含塵空気の吹込口に含塵空気の供給口を連通した状態に取付けることができる装着部材を設けたことを特徴としている。
【００１５】
（５） また、本発明の請求項５に係る集塵装置等用フィルターは、前記フィルターの全体を前記縦型集塵装置に設けたフィルター室の内部に吊下げ状態に取付けるための前記装着部材が、フィルター室の天井部に対して着脱自在に構成した取付具と、前記最初のフィルター単体の上面部に設けられていて、当該取付具の被保持部を嵌合して装着することができる保持部材とによって構成されていることを特徴としている。
【００１６】
（６） また、本発明の請求項６に係る集塵装置等用フィルターは、前記取付具が、永久磁石を用いて前記フィルター室の天井部に対して着脱自在に構成されていることを特徴としている。
【００１７】
（７）また、本発明の請求項７に係る集塵装置用フィルターの製造方法は、複数のフィルター単体をフィルターの上下方向にヒダを幾重にも重なるように複数連設することにより、全体が伸縮自在に構成された集塵装置等用フィルターを製造するための方法であって、
中央に通気穴を設けた平面視形状が角型形状または円型形状を成す２枚の濾布体を重ね合わせて、これ等両濾布体同士を重ねた通気穴の外周縁部分で接合し、且つ、この接合と同時に、または、接合の後に、接合された２枚の濾布体の各通気穴の左右両側縁部分に、夫々同一寸法に形成した上下及び左右の少なくとも計４本の接合前内側紐体の根端部を各々接合する第１工程と、
前記第１工程で造られた前記接合された２枚の濾布体の外形同士が一致するように２組対向させて、相対向する側の濾布体の夫々に取付けられている前記接合前内側紐体の先端部同士を接合する第２工程と、
前記相対向する側の濾布体同士の全外周部を接合して、全体を断面略袋状に成すことで、相対向する内側面の間に前記接合前内側紐体が接合されて、内側紐体と成って架設されたフィルター単体を造る第３工程と、
前記第３工程によって造られた複数の前記フィルター単体及び両外側の濾布体を、外形同士が一致するように２組相対向させて、前記フィルター単体及び両外側の濾布体の、相対向する側に設けられている前記接合前内側紐体の先端部同士を接合し、且つ、相対向する側の濾布体の全外周部を接合して、前記フィルター単体同士を接合する第４工程と、
前記第４工程を繰り返すことにより、必要とする数のフィルター単体を上下方向に複数連設することを特徴としている。
【００１８】
（８）  また、本発明の請求項８に係る集塵装置等用フィルターの製造方法は、前記重ね合わせた２枚の濾布体の各通気穴の外周縁部分に接合される前記接合前内側紐体の本数が、少なくとも片側３本、または、片側３本以上の奇数本であることを特徴としている。
【００１９】
（９）更に、本発明の請求項９に係る集塵装置等用フィルタの製造方法は、前記接合前内側紐体の根端部を濾布体側に接合する手段と、前記通気穴部の外周縁部分を接合する手段、及び、重ね合わせた２枚の濾布体の全外周部分同士を接合する手段と、前記接合前内側紐体の先端部同士を接合するための手段として、各々接着、縫い着、或いは、超音波溶着のいずれかの接合手段が使用され、縫い着に当たっては、縫い目からの漏れ出し防止のために、目止め処理が行われることを特徴としている。
【００２０】
（１０）  更にまた、本発明の請求項１０に係る集塵装置は、全体が袋形状を成し、外端部をヒダのように薄く形成すると共に、上下両面には含塵空気を通気させる通気穴を開口形成して成る複数のフィルター単体を、上記上下の各通気穴同士が連通し、且つ、フィルターの上下方向にヒダが幾重にも重なるように複数連設することにより、全体を上下方向に伸縮自在な構成にすると共に、上記複数連設された前記各フィルター単体の内側面同士の各間の夫々に、長さ寸法が同一寸法に造られている複数の内側紐体を各々接合し、且つ、前記各フィルター単体の外端部同士の各間の夫々にも、各フィルター単体が上下方向に伸張する間隔を一定の間隔に保持するための複数の外側紐体を各々接合するように構成したフィルターを、上面部に設けた装着部材を用いて縦型集塵機に設けたフィルター室内の天井部に対して、吊り下げ状態に取付けて成ることを特徴としている。
【００２１】
上記（１）で述べた請求項１に係る集塵装置等用フィルターによれば、長手方向に各フィルター単体をそのヒダが幾重にも重なるように連設したフィルターを、集塵装置等のフィルター室（集塵室）内部に吊下げ状態に取付けると、自重或いはファンの吸引作用による含塵空気の吹き込みによって、連設した各フィルター単体が各ヒダの間隔を広げるように下方に伸張する。この伸張状態において、各フィルター単体の内側面同士の間には内側紐体が取付けられている関係上、各フィルター単体の間隔が、各フィルター単体の内側面同士の間に取付けた各内側紐体の長さに規制されて、所定の間隔を維持することになる。
【００２２】
その結果、フィルター内部にヒダ密着防止板や保持部材等の道具類を介在させなくても、使用時（集塵時）には各フィルター単体の内端部の間隔、即ち、各フィルター単体の伸張状態（脹らみ具合）が一定に保たれて、相互に干渉し合うことが無く、更に含塵空気が流入する経路を確実に保つことができるので、フィルターの濾過面積を有効利用することを可能にすると共に、不使用時（保管時）には全体を小さく畳むことを可能にすることで、省スペース化も実現する事ができる。
【００２３】
上記（２）で述べた請求項２に係る集塵装置等用フィルターによれば、連設された各フィルター単体が下方に伸張する時に、長さ寸法が同一に造られた複数本の内側紐体の夫々が、前後（上下）の各フィルター単体の間隔、即ち、平行状態を一定に保ちながら伸張して、各ヒダの間隔を開くため、フィルターの伸張時に前後（上下）のフィルター単体同士が重なって接触し合うことがなく、各フィルター単体の濾過面積を有効的に利用することが可能と成る。
【００２４】
上記（３）で述べた請求項３に係る集塵装置等用フィルターによれば、連設された複数のフィルター単体における各ヒダの間隔を、各内側紐体の夫々が全て同一寸法の間隔で保持して、濾過面積の有効利用を、より高めることを可能にする。
【００２５】
上記（４）で述べた請求項４に係る集塵装置等用フィルターによれば、各フィルター単体がフィルターの長手方向に伸張する間隔を一定の間隔に保持するための外側紐体を取付けることにより、外端における各フィルター単体の間隔が一定に保たれて、相互に干渉し合うことが無くなり、フィルターの濾過面積を更に有効利用することが可能となる。
【００２６】
上記（５）で述べた請求項５に係る集塵装置等用フィルターによれば、上記（１）乃至（４）に記載の集塵装置等用フィルターを、縦型集塵装置のフィルター室内に装着部材を用いて吊下げた状態に、且つ、内部に含塵空気を吹き込み自在な状態に取付けて、集塵に使用することを可能にする。
【００２７】
上記（６）で述べた請求項６に係る集塵装置等用フィルターによれば、上記（１）乃至（５）に記載の集塵装置等用フィルターを、取付具と保持部材から成る装着部材と、永久磁石を用いて前記フィルター室の天井部に吊下げ状態に取付けることができると共に、取り外し作業や交換作業を極めて簡単に行うことを可能にする。
【００２８】
上記（７）と（８）で述べた請求項７と８に係る集塵装置等用フィルターの製造方法によれば、上記（１）〜（６）に記載のフィルターを、使用可能な状態に製造することを可能にする。
【００２９】
上記（９）で述べた請求項９に係る集塵装置等用フィルターの製造方法によれば、内端部の内側紐体を３本に分離する（２本ではなく）構成にしたことにより、汎用の溶着機（据え置き型やハンディ型）を使用して製造することが可能となる。
【００３０】
上記（１０）で述べた請求項１０に係る集塵装置によれば、濾布体に対する内側紐体の取付けと、表裏の濾布体の外周縁部分の取付け、及び、内側紐体同士の取付けを、各種接合手段によって全て確実に行うことができると共に、縫い着の場合も、表裏の濾布体の接合部からのエアー漏れも確実に防止することができる。
【００３１】
更に、上記（１０）で述べた請求項１０に係る集塵装置によれば、上記（７）〜（９）に記載の製造方法に従って、上記（１）〜（６）に記載の如き構成に製造された集塵装置等用フィルターを、縦型集塵機のフィルター室内部に取付けることにより、連設した各フィルター単体の濾過面積を有効利用して、集塵効果を高めることを可能にした、集塵装置を提供することができる。
【発明の効果】
【００３２】
本発明に係る集塵装置等用フィルターとその製造方法及び集塵装置は以上述べた如くであって、フィルター内部にヒダ密着防止板や保持具といった各種道具類を介在させなくても、各フィルター単体の内側面同士の間に内側紐体が取付けられていることにより、各フィルター単体のヒダ同士の密着を防止し、含塵空気が流入する経路を確実に保持することができる。
【００３３】
また、フィルター内部にヒダ密着防止板や保持具といった各種道具類を使用しないため、フィルター全体の重量を軽くして、集塵装置等へのフィルターの取付けや交換といった各作業の扱いを簡単にすると共に、フィルターのコストアップを防止できる利点を発揮できるものであって、連設した各フィルター単体の濾過面積を有効利用して、集塵装置等の集塵効果を高めることができる点と相俟って、各種の集塵装置や掃除機等に実施してまことに好適なものであると共に、斯る構成のフィルターを用いることにより、優れた集塵効果を発揮することができる集塵装置を提供することができる。
【図面の簡単な説明】
【００３４】
【図１】本発明の実施例に係る縦型集塵装置の一例を示した正断面図。
【図２】本発明の実施例に係るフィルターの平面図。
【図３】本発明の実施例に係るフィルターの側面図。
【図４】本発明の実施例に係るフィルターの側断面図。
【図５】図３と図４に示したフィルターを畳んだ時の状態を示した側面図。
【図６】本発明の実施例に係るフィルター及び２つのフィルター装着部材の構成を説明した平面図。
【図７】図６に示した一方のフィルター装着部材の構成を説明した平面図。
【図８】図６に示した他方のフィルター装着部材の構成を説明した平面図。
【図９】本発明に係るフィルターの製造方法の一例を工程順に説明した第１工程説明図。
【図１０】本発明に係るフィルターの製造方法の他の例を工程順に説明した第２工程説明図。
【図１１】従来のフィルターを説明した側面図。
【発明を実施するための形態】
【００３５】
以下に、上述した本発明に係る集塵装置等用フィルターとその製造方法及び集塵装置の実施の形態を図面と共に説明すると、添付した各図において夫々符号ＦＴで全体的に示したのは、複数のフィルター単体１…を上下縦方向に連設することによって構成された本発明に係るフィルターである。
【００３６】
即ち、上述した図１と図４に示した断面図のように、各フィルター単体１…は濾材を切断加工することによって、平面視形状が略四角形状又は円形状を成す中空形状（袋形状）に形成されていて、その中央部には含塵空気の通気穴１Ａを開口形成した構成に造られている。
【００３７】
本発明に係るフィルターＦＴは、以上の如く全体を袋状に構成した複数のフィルター単体１…を、図示の如く中央の通気穴１Ａ…同士が連通し、且つ、フィルターＦＴの長手方向（図面では上下方向）に各フィルター単体１…のヒダ（外端部１Ｘ）が幾重にも重なるように、接着又は縫着等の接合手段によって連設することによって構成されるものであって、以上の如く構成したフィルターＦＴの全体は、上下方向に伸縮自在に構成されている。
【００３８】
更に図中、２…は上記上下方向に連設した各フィルター単体１…の上下の内側面１Ｈ、１Ｈ（図１、図４参照）同士の間、具体的には、上記各通気穴１Ａの各内端縁１Ｚ…の部分同士を縦方向に連結した内側紐体（例えば糸、リボンのような幅広の紐、ワイヤー等）であって、これ等の内側紐体２…は上記フィルターＦＴの全体を図１のように吊下げ状態（上下伸張状態）にした時には、各フィルター単体１…が上下に等間隔に伸張して、重なっていた各フィルター単体１…の内側面１Ｈ，１Ｈの間を上下に開いて、各フィルター単体１…のフィルター面を夫々有効利用できるように構成されている。
【００３９】
更に図中、３…は上記上下方向に連設した各フィルター単体１…の外端部１Ｘ…同士の間を縦方向に連結した外側紐体（例えば糸、リボンのような幅広の紐、ワイヤー等）である。実施例では、上記各通気穴１Ａ…の形状が略円型をしており、その通気穴１Ａの内端縁１Ｚ部分に、上記の内側紐体２が取付けられている。尚、上記の通気穴１Ａの形状は多角形状であっても良く、また、上記内側紐体２の取付け場所は、内端縁１Ｚの部分であればいずれの部位であってもよく、図示の実施例に限定されることはない。
【００４０】
図５は、本発明に係るフィルターＦＴを畳んだ時の状態を示した側面図であって、図示の如く内外の各紐体２…と３…は夫々屈曲して各フィルター単体１…を薄く折り重ねることを可能と成し、その結果、フィルターＦＴの全体をコンパクトにして保管や運搬、或いは、集塵装置への取付作業等の取り扱いを容易にすることができる。
【００４１】
次に、以上の如く構成した本発明に係るフィルターＦＴを取付ける符号１０で全体的に示した集塵装置の構成を、図１に示した実施例と共に説明する。
【００４２】
図１において、符号１０で全体的に示した縦型集塵装置は、その内部を複数の穴１１Ａ…が開口されている仕切板１１によって、フィルター室１０Ａと清浄室１０Ｂの上下２室に区画形成されている。上記仕切板１１の上部には、含塵空気に含まれる臭気を除去する為の活性炭（図示省略）が収納されている脱臭ボックス１２が載置されている。
【００４３】
脱臭ボックス１２の上部には、上蓋１０Ｘの下面に取り付けられている本発明に係るフィルターＦＴが収納されていて、上蓋１０Ｘの上面中央部には、含塵空気の供給口４０が設けられている。また、上記の上蓋１０Ｘは本体１０Ｔの側面に設けたクランプ１４，１４により、本体１０Ｔ側に固定されている。
【００４４】
更に図１において、本体１０Ｔ内の下部には、取付台１５が固定されていて、その取付台１５には、カバー体１６及びファン用モータ１７が搭載されている。このモータ１７の回転軸（図示省略）とファン（図示省略）は上記カバー体１６の内部に取付けられていて、ファン用モータ１７によってファンが回転すると、含塵空気をダクト（図示せず）を通して前記供給口４０よりフィルターＦＴの内部に吸引する仕組みに成っている。
【００４５】
そして、以上の如く吸引された含塵空気は、フィルターＦＴを通過した後、脱臭ボックス１２内の活性炭（図示省略）により脱臭されて、本体１０Ｔの下方側面の排気口１０Ｗを通って外気に排出される仕組みに成っている。
【００４６】
次に、上述した集塵装置１０のフィルター室１０Ａの内部に本発明に係るフィルターＦＴを取付けるための構成を、図面と共に説明する。
【００４７】
本発明に係るフィルターＦＴの上面、即ち、最上段のフィルター単体１の上面１Ｆには、図２及び図６、図７に示すように、取付具２０に設けた各脚体２０Ａ…の先端部を挿入して取付けることができる装着部材としての複数個の保持部材（保持帯体）１Ｓ…が設けられている。また、当該最上位のフィルター単体１の上面板１Ｔには、材質がゴム製の吸込口１３が縫着などの手段により取り付けられており、吸込口１３用のパッキン１３Ｐの外周面には、上記の取付具２０が嵌め込まれる溝部１３Ｖが設けられている。
【００４８】
そして、以上の如く構成したフィルターＦＴを集塵装置１０の本体１０Ｔ内に装着して供給口４０を差し込む時には、図１に示すように供給口４０の先端部が吸込口１３の内部に嵌り込む様に形成されている。更に図面の実施例では、上記フィルターＦＴの底面、即ち、最下位のフィルター単体１の底面には、通気穴１Ａを開口することなく、これを閉塞面１Ｗ（図１、図３参照）にして、エアー洩れを防止している。
【００４９】
図６は、フィルターＦＴに第１と第２の取付具２０と３０…を装着した平面図であり、図７は第１取付具２０の形状を示した平面図であり、図８は第２取付具３０…の形状を示した平面図である。取付具は、図７及び図８の様に、２０と３０夫々に分割されており、取付具２０は、全体を略長方形状に形成し、複数本の脚体２０Ａ…が連設され、フィルターＦＴに装着する際には、夫々の脚体２０Ａ…がフィルター上面１Ｆの保持部材１Ｓ…に挿入され、更に取付具２０の中央には、瓢箪（ひょうたん）型の嵌込口２１が開口形成されており、その嵌込口２１の周端部の一部２１Ｋが上述した吸込口１３の溝部１３Ｖに嵌り込む構造となっている。
【００５０】
上記の取付具２０をフィルター上面１Ｆに装着させた後、第２取付具３０を第１取付具２０と最上位のフィルター上面１Ｆの間から差し込み、その先端縁３０Ｒをフィルターパッキン１３Ｐの溝部１３Ｖに嵌め込んだ後、第２取付具３０のボス３０Ｔが第１取付具２０の嵌込口２１に嵌合することで、第２取付具３０は、第１取付具２０の中央の瓢箪型の嵌込口２１内に収納される。この様に吸込口１３の溝部１３Ｖの周面に第１、第２の各取付具２０，３０を取り付けることにより、供給口４０を吸込口１３に差し込んだ際、夫々が密着するため、粉塵漏れなどが発生しない構造となっている。
【００５１】
上記第１、第２の取付具２０，３０の上面部には夫々永久磁石２０Ｇ…、３０Ｇが設けられており、更に、上記集塵装置１０のフィルター室１０Ａの天井面には、上蓋１０Ｘがクランプ１４…により本体に取付けられていて、上蓋１０Ｘの材質が金属製（磁性体）であることから、第１、第２取付具２０，３０は、これ等永久磁石２０Ｇ…、３０Ｇによりフィルター室１０Ａの天井面である上蓋１０Ｘに吸着して取付けられ、吸込口４０と連通接続される仕組みとなっている。また、フィルターＦＴの取り外し時には、第１取付具２０を持って上蓋１０Ｘと引き離せば、取り外しが可能となっている。
【００５２】
次に、本発明に係る内側の紐体が連結したフィルターの製造方法の第１実施例を、図９と共に説明する。
工程１．平面視形状が略四角形状であり、中央部に円形の通気穴１Ａが開口形成されている濾布体１Ｊを必要数製作する。
工程２．２枚の濾布体１Ｊ，１Ｊを重ね合わせた後、２本の内側紐体２，２を夫々濾布体１Ｊ，１Ｊの上下及び円形通気穴１Ａの端面１Ｚの対角線上（１８０度間隔）に合わせた後、濾布体１Ｊ，１Ｊと共に通気穴１Ａ，１Ａの端面１Ｚ，１Ｚを縫い付ける。
工程３．工程２で製作したセットＺＫを２セット重ねる。
工程４．内側紐体２，２同士を縫い合わせ２Ｗする。
工程５．同様に反対側の内側紐体２，２同士も縫い合わせ２Ｗする。
工程６．内側の濾布体１Ｊ，１Ｊの外周を縫い合わせ１Ｗする。
工程７．場所を変えながら、濾布体１Ｊ，１Ｊの外周を全周縫い合わせ１Ｗする。
工程８．この状態の濾布のセットＸＺを複数用意する。
工程９．この状態の濾布のセットＸＺ…同士を重ね、内側紐体２，２同士を超音波溶着２Ｘする。尚、この例では、ハンディタイプの溶着機（図示省略）を使用している。
工程１０．場所を変えながら、内側の濾布体１Ｊ，１Ｊの外周を全周縫い合わせ１Ｗする。
以上の工程を複数繰り返すと、内側紐体２が連結して成る多数のフィルター単体１…が連設されたフィルターＦＴが完成する。
【００５３】
尚、上記の工程４，５において内側紐体２，２の接合方法は、最初から超音波溶着２Ｘでも構わない。また、縫い合わせた箇所には、縫い目より捕集した微粉塵が漏れ出す危険性が生じる為、シリコン等で目止め処理を施して粉塵漏れを防止している。更に、内側紐体２が連結したフィルター単体１…において、連設した各フィルター単体１…の外端部１Ｘ…の間に外側紐体３を取り付ける場合にも、外端部１Ｘ…同士を縫い合わせれば良い。
【００５４】
次に、本発明に係る内側紐体２が連結したフィルターＦＴの製造方法の第２実施例を、図１０と共に説明する。
工程１．平面視形状が略四角形状であり、中央部に円形の通気穴１Ａが開口形成されている濾布体１Ｊを必要数製作する。
工程２．２枚の濾布体１Ｊ，１Ｊを重ね合わせた後、３本の内側紐体２…を夫々濾布体１Ｊ，１Ｊの上下及び円形通気穴１Ａの端面１Ｚの約３等分（１２０度間隔）に合わせた後、濾布体１Ｊ，１Ｊと共に通気穴１Ａ，１Ａの端面１Ｚ，１Ｚを縫い付け１Ｓする。
工程３．工程２で製作したセットＺＫを２セット重ねる。
工程４．内側紐体２，２同士を縫い合わせＺＷする。若しくは、超音波溶着にて接合する。
工程５．同様に３箇所の内側紐体２…を縫い合わせ２Ｗする。
工程６．内側の濾布体１Ｊ，１Ｊの外周を縫い合わせ１Ｗする。
工程７．場所を変えながら、濾布体１Ｊ，１Ｊの外周を全周縫い合わせ１Ｗする。
工程８．この状態の濾布のセットＸＺを複数用意する。
工程９．この状態の濾布のセットＸＺ…同士を重ね、内側紐体２…同士を超音波溶着ＺＸする。この例では、定置式の溶着機を使用している。
工程１０．１２０度づつ場所を変えながら、内側紐体２…を３箇所とも超音波溶着２Ｘし、その後濾布体１Ｊ，１Ｊの外周を縫い合わせ１Ｗする。
この作業を複数回繰り返すと、内側紐体２…同士が連結て成る多数のフィルター単体１…が連設されたフィルターＦＴが完成する。
【００５５】
尚、工程９において、内側紐体２…の接合時の超音波溶着のホーン５０の操作方向は、水平に可動する様にしてもよい。また、縫い合わせた箇所には、縫い目より捕集した微粉塵が漏れ出す危険性が生じる為、シリコン等で目止め処理を施して粉塵漏れを防止している。
【００５６】
以上の如く構成した本発明に係るフィルターＦＴを、取付具２０と３０を用いて図１の如く集塵装置１０内に吊下げ状態に取付けて、集塵用のファンを回転すると、供給口１３から各フィルター単体１…の通気穴１Ａ…を通って含塵空気がフィルターＦＴの内部、具体的には、上下方向に伸張されて開いた各フィルター単体１…の内部に吸引され、次いで、各フィルター単体１…の濾過面積を有効利用して濾過された清浄空気が、脱臭ボックスを通って、排気口から外気に排出される。
【００５７】
また、上記各フィルター単体１…による濾過作用は、連設された各フィルター単体１…が内外の紐体２と３によって全て等間隔に伸張されて、各フィルター単体１…のヒダ同士が重なって干渉し合うことがないため、各フィルター単体１…のフィルター面を有効利用して、優れた濾過作用（集塵効果）を発揮できることは、前述した通りである。
【符号の説明】
【００５８】
ＦＴ          フィルター
１            フィルター単体
１Ｊ          濾布体
１Ａ          通気穴
１Ｚ          内端縁
２            内側紐体
３            外側紐体
１０          集塵装置
２０，３０    取付具
【図１】
0005543751.tif 000002
【図２】
0005543751.tif 000003
【図３】
0005543751.tif 000004
【図４】
0005543751.tif 000005
【図５】
0005543751.tif 000006
【図６】
0005543751.tif 000007
【図７】
0005543751.tif 000008
【図８】
0005543751.tif 000009
【図９】
0005543751.tif 000010
【図１０】
0005543751.tif 000011
【図１１】
0005543751.tif 000012